【手続補正書】
【提出日】平成17年4月1日(2005.4.1)
【手続補正１】
【補正対象書類名】明細書
【補正対象項目名】特許請求の範囲
【補正方法】変更
【補正の内容】
【特許請求の範囲】
【請求項１】
ａ）被写体の第１のデジタル画像を取り込むステップと、
ｂ）フラッシュを使用して前記被写体の第２のデジタル画像を取り込むステップと、
ｃ）前記第１および第２のデジタル画像の差分画像を作成するステップと、
ｄ）閾値を前記差分画像に適用して、アーチファクト画像を作成するステップと、
ｅ）前記第２のデジタル画像から前記アーチファクト画像を差し引いて、最終デジタル画像を作成するステップと、を含む、フラッシュアーチファクトを除去する方法。
【請求項２】
前記アーチファクト画像は、前記第２のデジタル画像から前記アーチファクト画像を差し引くステップの前に、係数で乗算される、請求項１記載のフラッシュアーチファクトを除去する方法。
【請求項３】
前記アーチファクト画像は、前記第２のデジタル画像から前記アーチファクト画像を差し引くステップの前に、係数分オフセットされる、請求項１記載のフラッシュアーチファクトを除去する方法。
【請求項４】
フラッシュなしデジタル画像データおよびフラッシュデジタル画像データを含む入力を有する第１の減算ブロックであって、前記フラッシュなしデジタル画像データを、前記フラッシュデジタル画像データから差し引いて、差分データを生成することを特徴とする該第１の減算ブロックと、
該第１の減算ブロックに接続され、前記差分データから閾値を決定する閾値ブロックと、
該閾値ブロックに接続され、前記差分データおよび前記閾値を受信し、アーチファクトデータを出力するクリッピングブロックであって、前記アーチファクトデータは、前記閾値よりも大きな値を有する前記ピクセルに対する前記差分データを含むことを特徴とする該クリッピングブロックと、
該クリッピングブロックに接続される第二の減算ブロックであって、前記フラッシュデジタル画像データから前記アーチファクトデータを差し引き、最終デジタル画像を生成することを特徴とする第２の減算ブロックと、を備える、フラッシュアーチファクトを除去する装置。
【請求項５】
少なくとも三原色のフラッシュなしデジタル画像データを少なくとも三原色のフラッシュデジタル画像データから差し引き、少なくとも三原色の差分データを生成する、少なくとも三原色に対応する第１の減算ブロックであって、第１原色フラッシュなしデジタル画像データを第１原色フラッシュデジタル画像データから差し引いて第１原色差分データを生成する第１原色減算ブロックと、第２原色フラッシュなしデジタル画像データを第２原色フラッシュデジタル画像データから差し引いて第２原色差分データを生成する第２原色減算ブロックと、第３原色フラッシュなしデジタル画像データを第３原色フラッシュデジタル画像データから差し引いて第３原色差分データを生成する第３原色減算ブロックとを有することを特徴とする少なくとも三原色に対応する第１の減算ブロックと、
該少なくとも三原色の第１の減算ブロックに接続され、少なくとも三原色の閾値を前記少なくとも三原色の差分データから決定する、少なくとも三原色に対応する閾値ブロックであって、前記第１原色減算ブロックに接続された第１原色閾値ブロックは、第１原色閾値を前記第１原色差分データから決定し、前記第２原色減算ブロックに接続された第２原色閾値ブロックは、第２原色閾値を前記第２原色差分データから決定し、前記第３原色減算ブロックに接続された第３原色閾値ブロックは、第３原色閾値を前記第３原色差分データから決定することを特徴とする少なくとも三原色に対応する閾値ブロックと、
該少なくとも３つの閾値ブロックに接続され、前記差分データおよび前記閾値を受信し、少なくとも三原色のアーチファクトデータを出力する、少なくとも３つのクリッピングブロックであって、前記原色のアーチファクトデータは、前記原色閾値よりも大きな原色値を有する前記ピクセルに対する前記差分データを含み、また、第１のクリッピングブロックは、前記第１の閾値ブロックに接続され、前記第１の差分データおよび前記第１の閾値を受信し、第１原色アーチファクトデータを出力し、第２のクリッピングブロックは、前記第２の閾値ブロックに接続され、前記第２の差分データおよび前記第２の閾値を受信し、第２原色アーチファクトデータを出力し、第３のクリッピングブロックは、前記第３の閾値ブロックに接続され、前記第３の差分データおよび前記第３の閾値を受信し、第３原色アーチファクトデータを出力することを特徴とする少なくとも３つのクリッピングブロックと、
該クリッピングブロックに接続され、前記少なくとも三原色のアーチファクトデータを組み合わせて、フルカラーアーチファクトデータにする、結合ブロックと、
該結合ブロックに接続され、前記フルカラーアーチファクトデータを前記フラッシュデジタル画像データから差し引き、最終デジタル画像を生成する、第２の減算ブロックと、
を備える、フラッシュアーチファクトを除去する装置。
【請求項６】
ａ）被写体の第１のデジタル画像を取り込むステップと、
ｂ）フラッシュを使用して前記被写体の第２のデジタル画像を取り込むステップと、
ｃ）輝度閾値を選択するステップと、
ｄ）処理すべき各ピクセルについて、ｉ）前記第１のデジタル画像中の現ピクセルの輝度を、前記第２のデジタル画像中の現ピクセルの輝度から差し引き、ピクセル差を生成するサブステップ、およびｉｉ）前記ピクセル差が前記輝度閾値よりも大きい場合、前記第１のデジタル画像中の現ピクセルで、前記第２のデジタル画像中の現ピクセルを置換するサブステップ、を実行するステップと、
を含む、フラッシュアーチファクトを除去する方法。
【請求項７】
ａ）被写体の第１のデジタル画像を取り込むステップと、
ｂ）フラッシュを使用して前記被写体の第２のデジタル画像を取り込むステップと、
ｃ）少なくとも三原色の閾値を選択するステップと、
ｄ）処理すべき各ピクセルの各原色について、ｉ）前記第１のデジタル画像中の現ピクセルの原色値を、前記第２のデジタル画像中の現ピクセルの原色値から差し引き、前記現ピクセルの原色に関する原色ピクセル差を生成するサブステップ、およびｉｉ）現ピクセルの現原色に関する前記原色ピクセル差が、前記現原色の前記原色閾値よりも大きい場合、前記第２のデジタル画像中の現ピクセルの原色値を、前記第１のデジタル画像からの現ピクセルの原色値で置換するサブステップ、を実行するステップと、
を含む、フラッシュアーチファクトを除去する方法。
【請求項８】
ａ）被写体の第１のデジタル画像を取り込むステップと、
ｂ）フラッシュを使用して前記被写体の第２のデジタル画像を取り込むステップと、
ｃ）少なくとも三原色に関する閾値を選択するステップと、
ｄ）処理すべき各ピクセルの各原色について、ｉ）前記第１のデジタル画像中の現ピクセルの原色値を、前記第２のデジタル画像中の現ピクセルの原色値から差し引き、前記現ピクセルの現原色に関する原色ピクセル差を生成するサブステップ、およびｉｉ）前記現ピクセルの現原色に関する前記原色ピクセル差が、前記現原色に関する前記原色閾値よりも大きい場合、前記第２のデジタル画像中の現ピクセルの原色値を、前記第１のデジタル画像中の現ピクセルの前記原色値、および前記第２のデジタル画像中の現ピクセルの前記原色値から計算された色値で置換するサブステップ、を実行するステップと、
を含む、フラッシュアーチファクトを除去する方法。